(57)【特許請求の範囲】
【請求項１】
忌避概念又は嗜好概念に関する設定情報を出力する設定保持部と、
再生対象のコンテンツに含まれるシーンに関するメタ情報を取得するメタ情報取得部と、
前記設定保持部から取得した前記設定情報と前記メタ情報取得部が取得した前記メタ情報との関係に基づき、前記コンテンツに含まれる選択的な複数のシーンの中から再生すべき主シーンを選択し、選択された前記主シーンが再生されるように制御するシーン制御部と、
前記シーン制御部によって前記主シーンとして選択されなかった副シーンに関する前記メタ情報が副画面に表示されるように制御する副画面制御部と
を具備することを特徴とするコンテンツ再生装置。
【請求項２】
前記シーン制御部は、前記選択の対象の前のシーンと、選択された前記主シーンとが時間連続的に再生されるように制御する、
ことを特徴とする請求項１に記載のコンテンツ再生装置。
【請求項３】
前記メタ情報取得部は、前記コンテンツのデータに付加されている前記メタ情報を取得する、
ことを特徴とする請求項１又は２に記載のコンテンツ再生装置。
【請求項４】
前記メタ情報取得部は、通信ネットワークを介して外部のサーバ装置から前記メタ情報を取得する、
ことを特徴とする請求項１から３までのいずれか一項に記載のコンテンツ再生装置。
【請求項５】
前記シーンに関連付けて前記メタ情報を付与するメタ情報付与部と、
前記メタ情報付与部によって付与された前記メタ情報を前記シーンと関連付けて保持するメタ情報記憶部と、
をさらに具備し、
前記メタ情報取得部は、前記メタ情報記憶部から前記メタ情報を取得する、
ことを特徴とする請求項１から４までのいずれか一項に記載のコンテンツ再生装置。
【請求項６】
前記シーン制御部によって前記主シーンとして選択されなかった副シーンを記録するコンテンツ記録部をさらに具備する、
ことを特徴とする請求項１から５までのいずれか一項に記載のコンテンツ再生装置。
【請求項７】
所定の環境条件を検知する環境条件検知部をさらに具備し、
前記設定保持部は、前記環境条件検知部が検知した環境条件に基づき設定情報を生成する、
ことを特徴とする請求項１から６までのいずれか一項に記載のコンテンツ再生装置。
【請求項８】
前記所定の環境条件は、（ａ）現在時刻が所定の時間帯に含まれる、（ｂ）測定した明るさが所定範囲に含まれる、（ｃ）所定の無線信号が受信されている、（ｄ）人の話し声が検出されない、（ｅ）所定の人物の話し声が検出されている、のいずれかを含む、
ことを特徴とする請求項７に記載のコンテンツ再生装置。
【請求項９】
それぞれがシーンに対応する複数のチャネルの信号を並列的に受信する複数チャネル受信部をさらに具備し、
前記シーン制御部は、前記複数チャネル受信部によって受信された複数のシーンの中から再生すべき前記主シーンを選択し、選択された前記主シーンが再生されるように制御する、
ことを特徴とする請求項１から８までのいずれか一項に記載のコンテンツ再生装置。
【請求項１０】
コンテンツ再生装置と、端末装置とを含んで構成されるコンテンツ再生システムであって、
前記コンテンツ再生装置は、
忌避概念又は嗜好概念に関する設定情報を出力する設定保持部と、
再生対象のコンテンツに含まれるシーンに関するメタ情報を取得するメタ情報取得部と、
前記設定保持部から取得した前記設定情報と前記メタ情報取得部が取得した前記メタ情報との関係に基づき、前記コンテンツに含まれる選択的な複数のシーンの中から再生すべき主シーンを選択し、選択された前記主シーンが再生されるように制御するシーン制御部と、
前記シーン制御部によって前記主シーンとして選択されなかった副シーンに関する情報が副画面に表示されるように制御する副画面制御部と
を具備し、
前記端末装置は、前記副画面制御部の制御により表示される前記副画面を表示する手段を具備すること
を特徴とするコンテンツ再生システム。
【請求項１１】
選択的シーンを含むコンテンツを再生するコンテンツ再生装置におけるコンテンツ再生方法において、
前記コンテンツ再生装置が、忌避概念又は嗜好概念に関する設定情報を取得する第１の過程と、
前記コンテンツ再生装置が、再生対象のコンテンツに含まれるシーンに関するメタ情報を取得する第２の過程と、
前記コンテンツ再生装置が、前記第１の過程にて取得した前記設定情報と前記第２の過程にて取得した前記メタ情報との関係に基づき、前記コンテンツに含まれる選択的な複数のシーンの中から再生すべき主シーンを選択し、選択された前記主シーンが再生されるように制御する第３の過程と、
前記コンテンツ再生装置が、前記第３の過程にて前記主シーンとして選択されなかった副シーンに関する前記メタ情報が副画面に表示されるように制御する第４の過程と
を具備することを特徴とするコンテンツ再生方法。
【請求項１２】
選択的シーンを含むコンテンツを再生するコンテンツ再生装置のコンピュータを、
忌避概念又は嗜好概念に関する設定情報を出力する設定保持部、
再生対象のコンテンツに含まれるシーンに関するメタ情報を取得するメタ情報取得部、
前記設定保持部から取得した前記設定情報と前記メタ情報取得部が取得した前記メタ情報との関係に基づき、前記コンテンツに含まれる選択的な複数のシーンの中から再生すべき主シーンを選択し、選択された前記主シーンが再生されるように制御するシーン制御部
前記シーン制御部によって前記主シーンとして選択されなかった副シーンに関する前記メタ情報が副画面に表示されるように制御する副画面制御部
として機能させるためのプログラム。
【発明の詳細な説明】
【技術分野】
【０００１】
本発明は、コンテンツを再生するためのコンテンツ再生装置、コンテンツ再生システム、コンテンツ再生方法、およびプログラム、特に、選択的シーンを含むコンテンツを再生するコンテンツ再生装置、コンテンツ再生システム、コンテンツ再生方法、およびプログラムに関する。
【背景技術】
【０００２】
テレビジョン放送の受信については、一般的には、受信した放送番組をそのままテレビジョン受像機の表示画面に表示している。しかし、最近では、テレビジョン受像機に、ユーザの選択したキーワードと、該キーワードに関連付けられたデータを記憶する記憶部を設けて、単なるテレビジョン受像機ではなくて、情報処理装置として機能させることが提案されている。例えば、この情報処理装置は、受信したＴＶ放送に該キーワードが含まれているときは、ＴＶ放送の動画像と該キーワードに関連付けられたデータとを合成したり、視聴者が忌避したいシーンでは動画像にモザイクをかけたり、音声を消したりすることができるようにしている（例えば、特許文献１参照）。
【０００３】
また、コンテンツに収録されたストーリー展開あるいは撮影アングルの異なる複数シーンの中から、視聴者の指示に従って選択し、該シーンを再生するようにしているものもある（例えば、特許文献２参照）。
【特許文献１】特開２００５−２８６９６６号公報
【特許文献２】特開２００７−０７４１５８号公報
【発明の開示】
【発明が解決しようとする課題】
【０００４】
しかしながら、従来の忌避したいシーンをモザイクで隠す方法にあっては、忌避したいシーンを隠すことはできるものの、視聴者は、該隠されたシーンが終了するまで待たなければならず、視聴者にとって時間の浪費となるという問題がある。
また、異なる複数シーンの中から視聴者の指示に従って選択する方法にあっては、自身の嗜好に応じたシーンを視聴する、あるいは、忌避したいシーンを視聴しないようにするには、該当するシーンの度に視聴者が自身の嗜好もしくは忌避に応じて指示操作を行わなければならないために視聴者はコンテンツの内容に集中できなくなるなど、視聴者にとって煩わしいという問題がある。
【０００５】
本発明は、このような事情に鑑みてなされたもので、その目的は、視聴者にとって時間の浪費にもならず、煩わしい操作も要さずに、視聴者が嗜好に応じたシーンを視聴する、あるいは、忌避したいシーンを視聴しないようにするコンテンツ再生装置、コンテンツ再生システム、コンテンツ再生方法、およびプログラムを提供することにある。
【課題を解決するための手段】
【０００６】
この発明は上述した課題を解決するためになされたもので、本発明のコンテンツ再生装置は、忌避概念又は嗜好概念に関する設定情報を出力する設定保持部と、再生対象のコンテンツに含まれるシーンに関するメタ情報を取得するメタ情報取得部と、前記設定保持部から取得した前記設定情報と前記メタ情報取得部が取得した前記メタ情報との関係に基づき、前記コンテンツに含まれる選択的な複数のシーンの中から再生すべき主シーンを選択し、選択された前記主シーンが再生されるように制御するシーン制御部と、を具備することを特徴とする。
【０００７】
これにより、コンテンツ再生装置は、選択的な複数のシーンの中から、これらのシーンのメタ情報と、忌避概念または嗜好概念に関する設定情報との関係に基づき再生するシーンを選択するので、視聴者にとって時間の浪費にもならず、煩わしい操作も要さずに、視聴者が、嗜好に応じたシーンを視聴する、あるいは、忌避したいシーンを視聴しないようにすることができる。
【０００８】
また、本発明のコンテンツ再生装置は、上述のコンテンツ再生装置であって、前記シーン制御部は、前記選択の対象の前のシーンと、選択された前記主シーンとが時間連続的に再生されるように制御する、ことを特徴とする。
【０００９】
これにより、選択した主シーンを、選択対象の前のシーンから時間連続的に再生するので、視聴者に違和感を感じさせずに再生することができる。
【００１０】
また、本発明のコンテンツ再生装置は、上述のいずれかのコンテンツ再生装置であって、前記メタ情報取得部は、前記コンテンツのデータに付加されている前記メタ情報を取得する、ことを特徴とする。
【００１１】
また、本発明のコンテンツ再生装置は、上述のいずれかのコンテンツ再生装置であって、前記メタ情報取得部は、通信ネットワークを介して外部のサーバ装置から前記メタ情報を取得する、ことを特徴とする。
【００１２】
これにより、コンテンツ再生装置は、メタ情報をコンテンツとは別に通信ネットワークを介して、外部のサーバ装置から取得することで、同一のコンテンツに対しても、様々な観点から付したメタ情報を提供し、視聴者が、これらのメタ情報の中から自身にあったメタ情報を選択できるようにすることができる。
【００１３】
また、本発明のコンテンツ再生装置は、上述のいずれかのコンテンツ再生装置であって、前記シーンに関連付けて前記メタ情報を付与するメタ情報付与部と、前記メタ情報付与部によって付与された前記メタ情報を前記シーンと関連付けて保持するメタ情報記憶部と、をさらに具備し、前記メタ情報取得部は、前記メタ情報記憶部から前記メタ情報を取得する、ことを特徴とする。
【００１４】
これにより、コンテンツ再生装置は、視聴者が各シーンにメタ情報を付与することができるので、視聴者が自身のシーン選択基準に応じたメタ情報を付与できるようにすることができる。
【００１５】
また、本発明のコンテンツ再生装置は、上述のいずれかのコンテンツ再生装置であって、前記シーン制御部によって前記主シーンとして選択されなかった副シーンを記録するコンテンツ記録部をさらに具備する、ことを特徴とする。
【００１６】
これにより、コンテンツ再生装置は、選択されなかった副シーンを記録しておき、後に選択されなかった副シーンを再生して、視聴者に視聴させることができる。
【００１７】
また、本発明のコンテンツ再生装置は、上述のいずれかのコンテンツ再生装置であって、前記シーン制御部によって前記主シーンとして選択されなかった副シーンに関する情報が副画面に表示されるように制御する副画面制御部をさらに具備する、ことを特徴とする。
【００１８】
これにより、コンテンツ再生装置は、副シーンに関する情報を副画面に表示させるので、選択されなかったシーンの存在とその内容を、視聴者に通知することができる。
【００１９】
また、本発明のコンテンツ再生装置は、上述のいずれかのコンテンツ再生装置であって、所定の環境条件を検知する環境条件検知部をさらに具備し、前記設定保持部は、前記環境条件検知部が検知した環境条件に基づき設定情報を生成する、ことを特徴とする。
【００２０】
これにより、コンテンツ再生装置は、視聴者に設定情報を設定させることなく、選択的シーンの中から、適切なシーンを選択することができる。
【００２１】
また、本発明のコンテンツ再生装置は、上述のコンテンツ再生装置であって、前記所定の環境条件は、（ａ）現在時刻が所定の時間帯に含まれる、（ｂ）測定した明るさが所定範囲に含まれる、（ｃ）所定の無線信号が受信されている、（ｄ）人の話し声が検出されない、（ｅ）所定の人物の話し声が検出されている、のいずれかを含む、ことを特徴とする。
【００２２】
また、本発明のコンテンツ再生装置は、上述のいずれかのコンテンツ再生装置であって、それぞれがシーンに対応する複数のチャネルの信号を並列的に受信する複数チャネル受信部をさらに具備し、前記シーン制御部は、前記複数チャネル受信部によって受信された複数のシーンの中から再生すべき前記主シーンを選択し、選択された前記主シーンが再生されるように制御する、ことを特徴とする。
【００２３】
また、本発明のコンテンツ再生システムは、上述のコンテンツ再生装置と、前記副画面制御部の制御により表示される前記副画面を表示する手段を具備する端末装置と、を含んで構成される。
【００２４】
これにより、コンテンツ再生システムは、副シーンに関する情報を端末装置の副画面に表示させるので、選択されなかったシーンの存在とその内容を、端末装置を保持している視聴者にのみ通知することができる。
【００２５】
また、本発明のコンテンツ再生方法は、選択的シーンを含むコンテンツを再生するコンテンツ再生装置におけるコンテンツ再生方法において、前記コンテンツ再生装置が、忌避概念又は嗜好概念に関する設定情報を取得する第１の過程と、前記コンテンツ再生装置が、再生対象のコンテンツに含まれるシーンに関するメタ情報を取得する第２の過程と、前記コンテンツ再生装置が、前記第１の過程にて取得した前記設定情報と前記第２の過程にて取得した前記メタ情報との関係に基づき、前記コンテンツに含まれる選択的な複数のシーンの中から再生すべき主シーンを選択し、選択された前記主シーンが再生されるように制御する第３の過程と、を具備することを特徴とする。
【００２６】
また、本発明のプログラムは、選択的シーンを含むコンテンツを再生するコンテンツ再生装置のコンピュータを、忌避概念又は嗜好概念に関する設定情報を出力する設定保持部、再生対象のコンテンツに含まれるシーンに関するメタ情報を取得するメタ情報取得部、前記設定保持部から取得した前記設定情報と前記メタ情報取得部が取得した前記メタ情報との関係に基づき、前記コンテンツに含まれる選択的な複数のシーンの中から再生すべき主シーンを選択し、選択された前記主シーンが再生されるように制御するシーン制御部として機能させる。
【発明の効果】
【００２７】
この発明によれば、忌避概念又は嗜好概念に関する設定情報と、再生対象のコンテンツに含まれるシーンに関するメタ情報との関係に基づき、選択的な複数のシーンの中から再生すべき主シーンを選択し、再生されるように制御するので、視聴者にとって時間の浪費にもならず、煩わしい操作も要さずに、嗜好に応じたシーンを視聴する、あるいは、忌避したいシーンを視聴しないようにすることができる。
【発明を実施するための最良の形態】
【００２８】
［第１の実施形態］
以下、図面を参照して、本発明の第１の実施形態について説明する。図１は、この発明の第１の実施形態によるコンテンツ再生装置１００の構成を示す概略ブロック図である。コンテンツ再生装置１００は、コンテンツ取得部１１、コンテンツ再生部１２、コンテンツ記録部１３、副画面制御部１４、メタ情報取得部２１、設定保持部２２、環境条件検知部２３、シーン制御部３１を具備する。コンテンツ取得部１１は、地上放送、衛星放送、ケーブル放送などの映像ストリームを搬送している放送波を受信し、復調して映像ストリームを取得する、あるいは、ＤＶＤ（Digital Versatile Disc）、HDD（Hard Disk Drive）などの記録媒体に記録されている映像ストリームを読み出す、インターネット経由でサーバから映像ストリームを受信するなどして、マルチシナリオなど同時間帯に選択的に再生可能な動画像、音声のすくなくとも一方が複数ある選択的シーンを含む映像ストリームであるコンテンツを取得する。なお、ここで、映像ストリームとは、ＭＰＥＧ（Moving Picture Experts Group）２−ＴＳ（Transport Stream）などの動画および音声が多重されたストリームであり、本実施形態ではさらに各シーンに関するメタ情報も多重されている。
【００２９】
コンテンツ再生部１２は、コンテンツ取得部１１が取得したコンテンツを再生して動画および音声を出力する。コンテンツ再生部１２は、コンテンツのうち、シーン制御部３１から主シーンとして指示されたシーンを再生して動画および音声を主画面に出力する。コンテンツ記録部１３は、コンテンツ取得部１１が取得したコンテンツの選択的シーンの部分について、シーン制御部３１から指示されていない副シーンの映像ストリームを記録する。また、コンテンツ記録部１３は、この映像ストリームを記録する際に、該当する副シーンの映像から静止画像を生成し、該静止画像および該シーンのメタ情報に対応付けて、この副シーンを記録する。副画面制御部１４は、コンテンツ取得部１１が取得したコンテンツの選択的シーンの部分について、シーン制御部３１から指示された主シーンに関するメタ情報、あるいは、シーン制御部３１から指示されていない副シーンに関するメタ情報を、コンテンツから取得して、コンテンツ再生部１２が選択的シーンの部分を再生している間、後述する副画面に表示させる。
【００３０】
メタ情報取得部２１は、コンテンツ取得部１１が取得したコンテンツのうち、選択的シーンの部分について、各シーンに関するメタ情報を、コンテンツから取得する。設定保持部２２は、忌避概念又は嗜好概念に関する設定情報の入力を受け付け、保持する。ここで、設定情報は、例えば、視聴者の年令を表す情報もしくは生年月日など年令を算出可能な情報、視聴者が忌避するシーンの属性を表す情報、視聴者が嗜好するシーンの属性を表す情報などである。この設定情報は、コンテンツ再生装置１００が備えるボタンなどの入力手段を、視聴者が操作することによって設定保持部２２に入力されてもよいし、環境条件検知部２３が、各種センサ等を用いて検知し、設定保持部２２に入力された情報に基づき設定保持部２２により生成されてもよい。
【００３１】
環境条件検知部２３は、各種センサ等を用いて所定の環境条件を検知する。環境条件検知部２３による所定の環境条件の検知として、具体的には、以下のようなものがあげられる。（ａ）コンテンツ再生装置１００が具備する時計機能、もしくは、コンテンツに含まれる現在時刻情報に基づき、現在時刻が所定の時間帯に含まれるか否かを検知すること。ここで、所定の時間帯は、視聴者によって設定されたものであってもよいし、メタ情報により決められたものであってもよい。（ｂ）輝度センサにより測定した周囲の明るさが予め決められた所定範囲内であるか否かを検知すること。ここで、所定の範囲内の明るさは、視聴者によって設定されたものであってもよいし、メタ情報により決められたものであってもよい。（ｃ）リモートコントローラや携帯型の端末装置から予め決められた無線信号を受信しているか否かを検知すること。（ｄ）コンテンツ再生装置１００が具備するマイクが取得した音声に人の話し声が含まれているか否かを検知すること。（ｅ）上述のマイクが取得した音声に、予め登録されている人物の声が含まれているか否かを検知すること、あるいは、該音声に基づき算出した年令が所定の範囲内にあるか否かを検知すること。
【００３２】
シーン制御部３１は、設定保持部２２が保持する設定情報とメタ情報取得部２１が取得したメタ情報との関係に基づき、選択的シーンの中から再生すべき主シーンを選択し、選択された主シーンが、選択対象の前のシーンと時間連続的に再生されるように、選択対象の前のシーンに続いて再生するシーンとして、主シーンを指示する情報をコンテンツ再生部１２、コンテンツ記録部１３、副画面制御部１４に出力する。シーン制御部３１は、例えば、設定情報として視聴者の年令を表す情報を、メタ情報として各シーンの対象年令を表す情報を取得し、視聴者の年令を含む対象年令をメタ情報としているシーンを主シーンとして選択する。
【００３３】
図２は、本実施形態におけるコンテンツの構成を説明する図である。本実施形態におけるコンテンツは、図２に例示するように、コンテンツヘッダ７０１と、複数のシーン７１３ａ〜ｅとからなる。そして、各シーン７１３ａ〜ｅは、シーンヘッダ７１１ａ〜ｅと、シーン内容７１２ａ〜ｅとからなる。これらシーン内容７１２ａ〜ｅには、コンテンツ再生部１２により再生される動画のデータと音声のデータとが格納されている。図２において、シーン７１３ｃとシーン７１３ｄとが並行しているのは、該当部が選択的シーンであり、シーン７１３ｃとシーン７１３ｄとが選択的に再生可能であることを示している。また、図２のシーン７１３ｃとシーン７１３ｄとの長さが異なるように、選択的シーンを構成する各シーンの時間長は、異なっていてもよい。また、選択的シーンの選択的に再生可能なシーンは、図２ように２シーンのみでなく、２を超える数のシーンであってもよい。
【００３４】
また、コンテンツが、ＭＰＥＧ２−ＴＳなどの形式で放送波により搬送されるときには、コンテンツヘッダ７０１およびシーンヘッダ７１１ａ〜ｅをシーン内容７１２ａ〜ｅの先頭に配置するのではなく、これらに該当する情報を、テーブル形式にして周期的にシーン内容７１２ａ〜ｅに時間多重して挿入するようにしてもよい。これにより、シーンの途中から受信したコンテンツ再生装置１００においても、これらの情報を取得できる。
【００３５】
図３は、本実施形態におけるコンテンツヘッダのフォーマット例を示す図である。図３に示すように、コンテンツヘッダには、コンテンツを識別する番号であるコンテンツＩＤが含まれる。また、コンテンツＩＤの他に、コンテンツ名称やデータ長を含んでいても良い。
図４は、本実施形態におけるシーンヘッダのフォーマット例を示す図である。図４に示すように、シーンヘッダには、シーンＩＤ、デフォルトフラグ、メタ情報が含まれる。シーンＩＤは、当該シーンヘッダのシーンを識別する番号である。デフォルトフラグは、選択的シーンを構成するシーンのうち、デフォルトで再生すべきシーンを指定するフラグである。すなわち、選択的シーンを構成するシーンのうち、デフォルトで再生すべきシーン１つのみのシーンヘッダのデフォルトフラグは、「ｏｎ」に設定されており、その他のシーンのシーンヘッダのデフォルトフラグは、「ｏｆｆ」に設定されている。また、選択的シーンでないときは、シーンヘッダのデフォルトフラグは、「ｏｎ」に設定されている。メタ情報は、当該シーンヘッダのシーンに関する情報である。
【００３６】
図５は、設定情報とメタ情報との関係を例示する図である。例えば、例１は、選択的シーンが、シーン内容が××チーム中心のシーンと、○○チーム中心のシーンと、一般向けのシーンとで構成され、１番目のメタ情報には「××チームファン」が設定されており、２番目のメタ情報には「○○チームファン」が設定されており、３番目のメタ情報には「××○○以外」が設定されている。そして、シーン制御部３１は、設定情報としてファンのチームを表す情報を取得して、例えば、設定情報が「××チーム」のときは、メタ情報が「××チームファン」の××チーム中心のシーンを主シーンとし、設定情報が「○○チーム」のときは、メタ情報が「○○チームファン」の○○チーム中心のシーンを主シーンとし、それ以外もしくは該当する設定情報がないときは、メタ情報が「××○○以外」の一般向けのシーンを主シーンとする。
【００３７】
例２は、選択的シーンが、シーン内容が一般向けニュース番組であるシーンと、子供向けニュース番組であるシーンとで構成され、前者のメタ情報には「１６歳以上対象」が設定されており、後者のメタ情報には「１５歳以下対象」が設定されていることを示す。そして、シーン制御部３１は、設定情報として年令を表す情報を取得して、該年令が１６歳以上であれば、「１６歳以上対象」に該当するので、一般向けニュース番組を主シーンとして選択し、１５歳以下であれば、「１５歳以下対象」に該当するので、子供向けニュース番組を主シーンとして選択する。
【００３８】
なお、例１、２では、嗜好概念に関する設定情報として、ファンのチームを表す情報と年令を表す情報を例としてあげたが、これらに替わり忌避概念に関する設定情報として、例えば、暴力的シーンを忌避することを表す情報を設定保持部２２が保持してもよい。この場合、シーン制御部３１は、例えば、メタ情報に「暴力的シーン」が設定されているときには、該メタ情報に対応する忌避概念に関する設定情報として暴力的シーンを忌避するか否かを表す情報を取得して、暴力的シーンを忌避しないのであれば、メタ情報が「暴力的シーン」のシーンを選択し、暴力的シーンを忌避するのであれば、メタ情報が「暴力的シーン」ではないシーンを選択する。
【００３９】
図６は、コンテンツ再生装置１００の動作を説明するフローチャートである。コンテンツ再生装置１００のコンテンツ取得部１１が、コンテンツの取得を開始する（Ｓ８１）。シーン制御部３１は、コンテンツ取得部１１が取得したコンテンツに含まれるシーンを順に取得し、取得したシーンが選択的シーンであるか否かを判定する（Ｓ８２）。このステップＳ８２において、選択的シーンであると判定したときは、コンテンツ再生部１２は、デフォルトフラグが「ｏｎ」となっているシーンすなわちデフォルトシーンを再生すべきか否かを判定する（Ｓ８３）。この判定は、メタ情報取得部２１がデフォルトシーンのシーンヘッダから取得したメタ情報と、設定保持部２２が保持する設定情報の中に、取得したメタ情報に対応する嗜好概念の設定情報もしくは忌避概念の設定情報があるか否かに基づき行う。例えば、メタ情報に対応する嗜好概念の設定情報があるとき、もしくは、メタ情報に対応する忌避概念の設定情報がないときは、デフォルトシーンを再生すべきであると判定する。
【００４０】
このステップＳ８３の判定にて、上述の条件に合致せず、デフォルトシーンを再生すべきであるとの判定ではなかったときは、シーン制御部３１は、選択的シーンを構成する残りのシーン各々について、シーンヘッダから取得したメタ情報と、設定保持部２２が保持する設定情報の中に、取得したメタ情報に対応する嗜好概念の設定情報もしくは忌避概念の設定情報があるか否かを判定することで、再生すべきシーンがあるか否かを判定する（Ｓ８４）。このステップＳ８４にて再生すべきシーンがあったときは、シーン制御部３１は、そのシーンを選択して主シーンとする（Ｓ８５）。
【００４１】
一方、ステップＳ８２にて選択シーンでないと判定したとき、ステップＳ８３にてデフォルトシーンを再生すべきと判定したとき、および、デフォルトシーン以外に再生すべきシーンがないときは、ステップＳ８６に遷移して、シーン制御部３１は、デフォルトシーンを選択して主シーンとする。
【００４２】
シーン制御部３１は、ステップ８５もしくはステップ８６の処理を行い、主シーンを選択すると、再生するシーンとして該主シーンを、コンテンツ再生部１２、コンテンツ記録部１３、副画面制御部１４に指示する（Ｓ８７）。次に、シーン制御部３１は、コンテンツが終了するあるいは再生停止の指示を受けるなど、コンテンツ再生の終了であるか否かを判定する（Ｓ８８）。終了でないと判定したときは、ステップＳ８２に戻って、シーン制御部３１は、次のシーンの制御を行なう（Ｓ８９）。また、ステップＳ８８で、コンテンツ再生の終了であると判定したときは、処理を終了する。
【００４３】
これにより、コンテンツ再生装置１００は、選択的シーンにおいて、忌避概念に関する設定情報に対応するメタ情報が設定されているシーンは選択されず、嗜好概念に関する設定情報に対応するメタ情報が設定されているシーンを選択して、再生することができる。従って、視聴者にとって時間の浪費にもならず、煩わしい操作も要さずに嗜好に応じたシーンを視聴する、あるいは、忌避したいシーンを視聴しないようにすることができる。
【００４４】
図７は、本実施形態におけるコンテンツ再生装置１００の出力を表示する表示装置の例を示す図である。図７に示すように、表示装置は主画面Ｄ１と副画面Ｄ２を備えている。コンテンツ再生部１２の再生結果は、主画面Ｄ１に表示され、副画面制御部１４の制御結果は、副画面Ｄ２に表示される。
なお、本実施形態において、副画面制御部１４は、主シーンに関するメタ情報、あるいは、副シーンに関するメタ情報を、コンテンツから取得して、コンテンツ再生部１２が選択的シーンの部分を再生している間、後述する副画面に表示させるとして説明したが、選択的シーンの部分を再生している間、選択的シーンの再生中であることを示す情報を表示させるようにしてもよいし、副シーンの動画を表示させるようにしてもよい。
これにより、視聴者は、選択的シーンの再生中であることがわかったり、主シーン以外にどのようなシーンが選択候補としてあるのかを把握したりすることができる。
【００４５】
［第２の実施形態］
図８は、この発明の第２の実施形態によるコンテンツ再生装置１００ａの構成を示す概略ブロック図である。同図において図１の各部（１１〜１４、２２、２３、３１）に対応する部分には同一の符号を付け、その説明を省略する。コンテンツ再生装置１００ａは、コンテンツ取得部１１、コンテンツ再生部１２、コンテンツ記録部１３、副画面制御部１４、シーン制御部３１、通信部４２、メタ情報取得部４１、設定保持部２２、環境条件検知部２３を具備する。
【００４６】
コンテンツ再生装置１００ａは、ネットワーク４３を介して、サーバ装置４４と通信可能に接続されている。ネットワーク４３は、インターネットあるいは公衆電話網などの通信ネットワークである。サーバ装置４４は、各コンテンツについて、該コンテンツに含まれる選択的シーンを構成する各シーンのメタ情報を保持し、コンテンツ再生装置１００ａからの要求に応じて、該メタ情報を出力する。図８において、サーバ装置４４は１つのみを図示しているが、複数であってもよい。コンテンツ再生装置１００ａの通信部４２は、ネットワーク４３を介して、サーバ装置４４を含む他装置と相互通信する。コンテンツ再生祖装置のメタ情報取得部４１は、図１におけるメタ情報取得部２１と異なり、コンテンツ取得部１１が取得したコンテンツのメタ情報を、サーバ装置４４から取得する。
【００４７】
図９は、サーバ装置４４が保持し、メタ情報取得部４１が取得するメタ情報のフォーマット例を示す図である。サーバ装置４４は、コンテンツＩＤと、シーンＩＤと、該シーンのメタ情報とを対応付けて記憶している。サーバ装置４４は、メタ情報取得部４１からコンテンツＩＤを含むメタ情報の要求を受けると、該コンテンツＩＤに対応付けられた全てのシーンＩＤとメタ情報との組み合わせを、メタ情報取得部４１に返すようにしてもよいｓ、メタ情報取得部４１からコンテンツＩＤとシーンＩＤとを含むメタ情報の要求を受けると、該コンテンツＩＤとシーンＩＤとに対応付けられたメタ情報を、メタ情報取得部４１に返すようにしてもよい
【００４８】
このように、メタ情報をコンテンツとは別にネットワーク４３を介して、外部のサーバ装置４４から取得することで、同一のコンテンツに対しても、様々な観点から付したメタ情報を提供し、視聴者は、これらのメタ情報の中から自身にあったメタ情報を選択することができる。例えば、あるサーバ装置４４は、年令制限に関するメタ情報を保持しており、他のサーバ装置は、シーンの長さに関するメタ情報を保持しており、というようにすることができる。視聴者は、コンテンツ再生装置１００ａに、メタ情報を取得するサーバ装置４４を指定することで、自身にあったメタ情報を取得することができる。
【００４９】
［第３の実施形態］
図１０は、この発明の第３の実施形態によるコンテンツ再生装置１００ｂの構成を示す概略ブロック図である。同図において図１の各部（１１〜１４、２２、２３、３１）に対応する部分には同一の符号を付け、その説明を省略する。コンテンツ再生装置１００ｂは、コンテンツ取得部１１、コンテンツ再生部１２、コンテンツ記録部１３、副画面制御部１４、シーン制御部３１、メタ情報付与部６２、メタ情報記憶部６３、メタ情報取得部６１、設定保持部２２、環境条件検知部２３を具備する。
【００５０】
メタ情報付与部６２は、視聴者による操作入力、もしくは、他装置からの電子データの入力を受けつけ、該入力をコンテンツＩＤとシーンＩＤと対応付けられたメタ情報としてメタ情報記憶部６３に格納する。メタ情報取得部６１は、図１におけるメタ情報取得部２１と異なり、コンテンツ取得部１１が取得したコンテンツのメタ情報を、メタ情報記憶部６３から取得する。
【００５１】
このように、本実施形態のコンテンツ再生装置１００ｂは、視聴者が各シーンにメタ情報を付与することができるので、視聴者は自身のシーン選択基準に応じたメタ情報を付与するようにすることができる。
【００５２】
［第４の実施形態］
図１１は、この発明の第４の実施形態によるコンテンツ再生装置１００ｃの構成を示す概略ブロック図である。同図において図１の各部（１２〜１４、２１〜２３、３１）に対応する部分には同一の符号を付け、その説明を省略する。コンテンツ再生装置１００ｃは、複数チャネル受信部７１、コンテンツ取得部１１ａ、コンテンツ再生部１２、コンテンツ記録部１３、副画面制御部１４、シーン制御部３１、メタ情報付与部６２、メタ情報記憶部６３、メタ情報取得部６１、設定保持部２２、環境条件検知部２３を具備する。
【００５３】
本実施形態において、コンテンツは放送波により搬送されており、選択的シーンは、シーン毎に異なる周波数チャネルにて搬送されている。複数チャネル受信部７１は、並行して選択的シーンを構成する各シーンを搬送している複数の周波数チャネルを受信する。コンテンツ取得部１１ａは、この複数の周波数チャネルの映像ストリームを複数チャネル受信部７１から取得する。
【００５４】
なお、本実施形態においては、選択的シーンは、シーン毎に異なる周波数チャネルにて搬送されているとして説明したが、選択的シーンは、シーン毎に同一周波数の異なるセグメント（地上デジタル放送におけるセグメント）で搬送されていてもよい。同一周波数の異なるセグメントで搬送されているときは、複数チャネル受信部７１は、同一周波数内の複数のセグメントを並行して受信する。
また、本実施形態は、第１の実施形態のコンテンツ再生装置１００が、複数チャネル受信部７１およびコンテンツ取得部１１ａを具備するコンテンツ再生装置１００ｃの場合を示したが、第２、３の実施形態のコンテンツ再生装置１００ａ、１００ｂが、同様にして複数チャネル受信部７１およびコンテンツ取得部１１ａを具備するようにしてもよい。
これにより、１セグ放送のような帯域の狭いチャネルであっても、複数のチャネルを用いて、選択的シーンを構成することができる。
【００５５】
［第５の実施形態］
図１２は、この発明の第５の実施形態による携帯電話端末装置２００の構成を示す概略ブロック図である。本実施形態における携帯電話端末装置２００は、携帯電話網に接続して通話可能であるとともに、地上デジタル放送のワンセグを受信し、表示可能である。携帯電話端末装置２００は、ワンセグを受信する図１に示すコンテンツ再生装置１００と、スピーカ部２０１と、ディスプレイ部２０２と、操作キー部２０３と、マイク部２０４とを具備する。コンテンツ再生装置１００のコンテンツ再生部１２が再生した動画と音声のうち、動画はディスプレイ部２０２が表示し、音声はスピーカ部２０１が音声出力する。またコンテンツ再生装置１００の副画面制御部１４による副画面の画像は、ディスプレイ部２０２が表示する。コンテンツ再生装置１００の設定保持部２２は、操作キー部２０３へのユーザの入力操作を受けて、設定情報を生成し、保持する。環境条件検知部２３は、環境条件を検知するためのセンサとしてマイク部２０４を用い、周囲の音声を取得する。
【００５６】
［第６の実施形態］
図１３は、この発明の第６の実施形態によるテレビジョン受像装置３００の構成を示す概略ブロック図である。本実施形態におけるテレビジョン受像装置３００は、地上デジタル放送を受信し、表示可能である。テレビジョン受像装置３００は、地上デジタル放送を受信する図１に示すコンテンツ再生装置１００と、スピーカ部３０１と、ディスプレイ部３０２と、操作信号受信部３０３と、センサ部３０４とを具備する。コンテンツ再生装置１００のコンテンツ再生部１２が再生した動画と音声のうち、動画はディスプレイ部３０２が表示し、音声はスピーカ部３０１が音声出力する。またコンテンツ再生装置１００の副画面制御部１４による副画面の画像は、ディスプレイ部３０２が表示する。コンテンツ再生装置１００の設定保持部２２は、操作信号受信部３０３へのリモートコントローラ３０５または携帯電話端末装置３０６からの赤外線信号を受けて、設定情報を生成し、保持する。環境条件検知部２３は、マイク、輝度センサなどのセンサ部３０４を、環境条件を検知するためのセンサとして用い、周囲の音声および明るさを取得する。
【００５７】
［第７の実施形態］
図１４は、この発明の第７の実施形態によるコンテンツ再生システム７００の構成を示す概略ブロック図である。コンテンツ再生システム７００は、コンテンツ再生装置１００と、画像表示装置４０１と、画像表示端末装置４１１とを備える。コンテンツ再生装置１００は、図１に示したコンテンツ再生装置である。画像表示装置４０１は、主画面４０２を具備し、この主画面４０２に、コンテンツ再生装置１００のコンテンツ再生部１２が再生した動画を表示する。画像表示端末装置４１１は、副画面４１２を具備する携帯電話端末装置やリモコンなどの携帯型の端末装置であり、この副画面４１２に、コンテンツ再生装置１００の副画面制御部１４の制御に従った情報の表示、あるいは、動画の表示を行う。
【００５８】
副画面制御部１４は、複数ある画像表示端末装置４１１のうち、予め登録された特定の画像表示端末装置４１１にのみ情報の表示、あるいは、動画の表示を行うようにしてもよい。これにより、例えば、家族などで視聴している際に、年令制限により選択的シーンのうちのデフォルトシーン以外のシーンを表示していることを、親だけが認識できるといったことが可能となる。また、画像表示端末装置４１１は、副画面４１２に情報の表示、あるいは、動画の表示を行う際に、自装置の筺体を振動させるなどして、当該画像表示端末装置４１１を携帯している人物にだけ、表示を行なったことを通知する方が望ましい。
【００５９】
このように、コンテンツ再生システム７００は、副シーンに関する情報を画像表示端末装置４１１の副画面に表示させるので、選択されなかったシーンの存在とその内容を、画像表示端末装置４１１を保持している視聴者にのみ通知することができる。
【００６０】
なお、このコンテンツ取得部１１、コンテンツ再生部１２、副画面制御部１４、メタ情報取得部２１、設定保持部２２、環境条件検知部２３、シーン制御部３１は専用のハードウェアにより実現されるものであってもよく、また、これら各部はメモリおよびＣＰＵ（中央演算装置）により構成され、各部の機能を実現するためのプログラムをメモリにロードして実行することによりその機能を実現させるものであってもよい。
【００６１】
また、図１におけるコンテンツ取得部１１、コンテンツ再生部１２、コンテンツ記録部１３、副画面制御部１４、メタ情報取得部２１、設定保持部２２、環境条件検知部２３、シーン制御部３１、および図８におけるコンテンツ取得部１１、コンテンツ再生部１２、コンテンツ記録部１３、副画面制御部１４、設定保持部２２、環境条件検知部２３、シーン制御部３１、メタ情報取得部４１、および図１０におけるコンテンツ取得部１１、コンテンツ再生部１２、コンテンツ記録部１３、副画面制御部１４、メタ情報取得部６１、メタ情報付与部６２、設定保持部２２、環境条件検知部２３、シーン制御部３１、図１１におけるコンテンツ取得部１１ａ、コンテンツ再生部１２、コンテンツ記録部１３、副画面制御部１４、メタ情報取得部６１、メタ情報付与部６２、設定保持部２２、環境条件検知部２３、シーン制御部３１の機能を実現するためのプログラムをコンピュータ読み取り可能な記録媒体に記録して、この記録媒体に記録されたプログラムをコンピュータシステムに読み込ませ、実行することにより、これら各部の処理を行ってもよい。なお、ここでいう「コンピュータシステム」とは、ＯＳや周辺機器等のハードウェアを含むものとする。
【００６２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６３】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００６４】
本発明は、携帯電話端末装置およびテレビジョン受像装置に用いて好適であるが、これに限定されない。
【図面の簡単な説明】
【００６５】
【図１】この発明の第１の実施形態によるコンテンツ再生装置１００の構成を示す概略ブロック図である。
【図２】同実施形態におけるコンテンツの構成を説明する図である。
【図３】同実施形態におけるコンテンツヘッダのフォーマット例を示す図である。
【図４】同実施形態におけるシーンヘッダのフォーマット例を示す図である。
【図５】同実施形態における設定情報とメタ情報との関係を例示する図である。
【図６】同実施形態におけるコンテンツ再生装置１００の動作を説明するフローチャートである。
【図７】同実施形態におけるコンテンツ再生装置１００の出力を表示する表示装置の例を示す図である。
【図８】この発明の第２の実施形態によるコンテンツ再生装置１００ａの構成を示す概略ブロック図である。
【図９】同実施形態におけるメタ情報のフォーマット例を示す図である。
【図１０】この発明の第３の実施形態によるコンテンツ再生装置１００ｂの構成を示す概略ブロック図である。
【図１１】この発明の第４の実施形態によるコンテンツ再生装置１００ｃの構成を示す概略ブロック図である。
【図１２】この発明の第５の実施形態による携帯電話端末装置２００の構成を示す概略ブロック図である。
【図１３】この発明の第６の実施形態によるテレビジョン受像装置３００の構成を示す概略ブロック図である。
【図１４】この発明の第７の実施形態によるコンテンツ再生システム７００の構成を示す概略ブロック図である。
【符号の説明】
【００６６】
１１、１１ａ…コンテンツ取得部
１２…コンテンツ再生部
１３…コンテンツ記録部
１４…副画面制御部
２１、４１、６１…メタ情報取得部
２２…設定保持部
２３…環境条件検知部
３１…シーン制御部
４２…通信部
４３…ネットワーク
４４…サーバ装置
６２…メタ情報付与部
６３…メタ情報記憶部
７１…複数チャネル受信部
１００、１００ａ、１００ｂ、１００ｃ…コンテンツ再生装置
２００…携帯電話端末装置
２０１…スピーカ部
２０２…ディスプレイ部
２０３…操作キー部
２０４…マイク部
３００…テレビジョン受像装置
３０１…スピーカ部
３０２…ディスプレイ部
３０３…操作信号受信部
３０４…センサ部
３０５…リモートコントローラ
３０６…携帯電話端末装置
４０１…画像表示装置
４０２…主画面
４１１…画像表示端末装置
４１２…副画面
７００…コンテンツ再生システム
【図１】
0005084022.tif 000002
【図２】
0005084022.tif 000003
【図３】
0005084022.tif 000004
【図４】
0005084022.tif 000005
【図５】
0005084022.tif 000006
【図６】
0005084022.tif 000007
【図７】
0005084022.tif 000008
【図８】
0005084022.tif 000009
【図９】
0005084022.tif 000010
【図１０】
0005084022.tif 000011
【図１１】
0005084022.tif 000012
【図１２】
0005084022.tif 000013
【図１３】
0005084022.tif 000014
【図１４】
0005084022.tif 000015